(57)【特許請求の範囲】
【請求項１】
コインを遊技媒体として遊技を行い、入賞時にその入賞態様に応じた枚数のコインを払出口から受け皿に払い出すコイン遊技機において、
前記受け皿には、前記払出口から払い出されるコインを受ける部分に窪んだコイン受け部が形成されていると共に、このコイン受け部に払い出されて溜まるコインを整列させる溝が前記コイン受け部の側部の底面に形成されており、前記コイン受け部は前記溝に至る端部が盛り上がって傾斜面を形成し、前記溝は前記コイン受け部に至る端部が開放していて前記溝の底面が前記コイン受け部の傾斜面に連通していることを特徴とするコイン遊技機。
【請求項２】
コインを遊技媒体として遊技を行い、入賞時にその入賞態様に応じた枚数のコインを払出口から受け皿に払い出すコイン遊技機において、
前記払出口はコインを前記受け皿の底面に平行な横方向状態で払い出し、前記受け皿は、前記払出口から払い出されるコインが落下する部分に先端部が形成され、この先端部を中心にして対称な一対の傾斜面を備え、この一対の傾斜面相互の離反距離が前記先端部から前記払出口に対して遠ざかるに従って増加する扇状の盛り上がり部分を有すると共に、この盛り上がり部分両側の前記払出口に対向する各側壁内面が前記各傾斜面に連続しており、いずれかの前記傾斜面によって前記横方向から前記受け皿の底面に垂直な縦方向に変換されたコインを整列させる溝が、前記盛り上がり部分両側の前記受け皿の底面にコインの払出方向に平行な方向に形成されていることを特徴とするコイン遊技機。
【請求項３】
コイン遊技機の払出口を臨ませた受け皿を持つコイン貯留装置において、前記受け皿に受け入れる大きさを有するトレイを備えており、このトレイには、前記払出口から払い出されるコインを受ける部分に窪んだコイン受け部が形成されていると共に、このコイン受け部に払い出されて溜まるコインを整列させる溝が前記コイン受け部の側部の露出面部に形成されており、前記コイン受け部は前記溝に至る端部が盛り上がって傾斜面を形成し、前記溝は前記コイン受け部に至る端部が開放していて前記溝の底面が前記コイン受け部の傾斜面に連通していることを特徴とするコイン貯留装置。
【請求項４】
コイン遊技機の払出口を臨ませた受け皿を持つコイン貯留装置において、前記受け皿に受け入れる大きさを有するトレイを備えており、前記払出口はコインを前記受け皿の底面に平行な横方向状態で払い出し、前記トレイは、前記払出口から払い出されるコインが落下する部分に先端部が形成され、この先端部を中心にして対称な一対の傾斜面を備え、この一対の傾斜面相互の離反距離が前記先端部から前記払出口に対して遠ざかるに従って増加する扇状の盛り上がり部分を有すると共に、この盛り上がり部分両側の前記払出口に対向する各側壁内面が前記各傾斜面に連続しており、いずれかの前記傾斜面によって前記横方向から前記受け皿の底面に垂直な縦方向に変換されたコインを整列させる溝が、前記盛り上がり部分両側の露出面部にコインの払出方向に平行な方向に形成されていることを特徴とするコイン貯留装置。
【請求項５】
前記トレイは蛍光色素を含む透明な樹脂から形成されていることを特徴とする請求項３または請求項４に記載したコイン貯留装置。
【請求項６】
前記溝にコインの枚数を表す指標が示されていることを特徴とする請求項１または請求項２に記載したコイン遊技機。
【請求項７】
前記溝にコインの枚数を表す指標が示されていることを特徴とする請求項３または請求項４に記載したコイン貯留装置。
【発明の詳細な説明】
【０００１】
【発明の属する技術分野】
本発明は、コインを遊技媒体として遊技を行い、遊技で入賞が生じるとコインを受け皿に払い出すコイン遊技機、並びにこれに適用するコイン貯留装置に関するものである。
【０００２】
【従来の技術】
従来、この種のコイン遊技機としては、例えば、図５の斜視図に示すスロットマシン１がある。
【０００３】
スロットマシン１の機器前面の上半部には表示パネル２が設けられており、この表示パネル２の各窓３にはそれぞれ回転リール４が臨んでいる。これら各回転リール４の外周には種々のシンボルが描かれている。また、機器前面の下半部には化粧パネル５が枠６に保持されている。この化粧パネル５の表面にはキャラクター等の図示しない情報が描かれている。化粧パネル５の背面側の機器内部には蛍光灯が内蔵されており、キャラクター等の絵柄はこの蛍光灯が出射する光によって裏面側から映し出されている。
【０００４】
遊技の開始に先立ち、遊技者によって投入口７にコインが投入され、スタートレバー８が操作されると、各リール４は回転し出す。これに引き続く遊技者による各ストップボタン９の操作により、各リール４の回転は停止する。停止時に各窓３に表示されるシンボルの組み合わせにより、入賞が生じる。入賞が得られた場合には、化粧パネル５の下方にある払出口１０から受け皿１１に入賞役に応じた枚数のコインが払い出される。受け皿１１には隣接してタバコの灰が捨てられる灰皿１２が設けられている。
【０００５】
【発明が解決しようとする課題】
しかしながら、上記従来のスロットマシン１では、コインは受け皿１１の底面にほぼ平行な状態で払出口１０から払い出され、受け皿１１の平坦な底面に横倒し状態になる。そして、払出口１０から次に払い出される新たなコインは、既に横倒しになったコインに積み重なって横倒しになる。従って、従来、払出口１０から払い出されたコインは受け皿１１に山積み状態になっていた。
【０００６】
このため、上記従来のスロットマシン１では、山の下の方にあるコインが見えず、遊技者はその時に所持しているコインの枚数を直ちに把握することが出来なかった。この結果、遊技者はコインを景品交換する適切な時期を見誤ることがあった。
【０００７】
また、上記従来のスロットマシン１では、コインが受け皿１１に山積み状態になるため、受け皿１１からコインを取り出し難かった。よって、遊技者は投入口７に新たなコインを円滑に投入し難くなり、円滑な遊技に支障を来す場合もあった。
【０００８】
【課題を解決するための手段】
本発明はこのような課題を解決するためになされたもので、コインを遊技媒体として遊技を行い、入賞時にその入賞態様に応じた枚数のコインを払出口から受け皿に払い出すコイン遊技機において、受け皿には、払出口から払い出されるコインを受ける部分に窪んだコイン受け部が形成されていると共に、このコイン受け部に払い出されて溜まるコインを整列させる溝がコイン受け部の側部の底面に形成されており、コイン受け部は溝に至る端部が盛り上がって傾斜面を形成し、溝はコイン受け部に至る端部が開放していて溝の底面がコイン受け部の傾斜面に連通していることを特徴とする。また、コイン遊技機の払出口を臨ませた受け皿を持つコイン貯留装置において、受け皿に受け入れる大きさを有するトレイを備えており、このトレイには、払出口から払い出されるコインを受ける部分に窪んだコイン受け部が形成されていると共に、このコイン受け部に払い出されて溜まるコインを整列させる溝がコイン受け部の側部の露出面部に形成されており、コイン受け部は溝に至る端部が盛り上がって傾斜面を形成し、溝はコイン受け部に至る端部が開放していて溝の底面がコイン受け部の傾斜面に連通していることを特徴とする。
【０００９】
このように受け皿またはトレイに溝が設けられることにより、払出口から払い出されたコインはこの溝に整然と整列されるようになる。従って、全てのコインが視認され、コインの枚数は数えやすくなる。また、受け皿に貯留されたコインは取り出し易くなる。また、払出口から払い出されたコインは一旦コイン受け部に貯留された後、溝に導かれるようになる。このコイン受け部が無いと払い出されたコインは各溝にバラバラに入ってしまい、整列し直す必要があるが、本構成においては、払い出されたコインは容易に各溝に順番に整列させることが出来る。
【００１２】
また、本発明は、コインが受け皿の底面に平行な横方向状態で払出口から払い出され、受け皿またはトレイのコインが落下する部分に先端部が形成され、この先端部を中心にして対称な一対の傾斜面を備え、この一対の傾斜面相互の離反距離が先端部から払出口に対して遠ざかるに従って増加する扇状の盛り上がり部分を有すると共に、この盛り上がり部分両側の払出口に対向する受け皿またはトレイの各側壁内面が各傾斜面に連続しており、いずれかの傾斜面によって横方向から受け皿の底面に垂直な縦方向に変換されたコインを整列させる溝が、盛り上がり部分両側の受け皿の底面または露出面部にコインの払出方向に平行な方向に形成されていることを特徴とする。
【００１３】
本構成によれば、払出口から払い出されたコインは、受け皿またはトレイの盛り上がり部分の傾斜面に案内されて、受け皿の底面に水平な横方向状態からこれに垂直な縦方向状態に変換される。方向が変換されたコインはさらに傾斜面に連続する側壁内面に転がり、停止する。停止したコインは、遊技者によってコインの払出口に向かう溝方向に移動され、溝内に整列させられる。
【００１４】
また、本発明は、上記トレイが蛍光色素を含む透明な樹脂から形成されていることを特徴とする。
【００１５】
本構成において、機器内蔵光源から出射した光がコイン払出口から漏れ、受け皿に取り付けられたトレイの内部に入り込むと、入射光はトレイ内部で反射を繰り返す。この光が表面積の小さい溝のエッジ部分から部品外部へ出射する際、エッジライト効果により、溝のエッジ部分は、トレイ内部の蛍光色素の存在も相まって他の部分よりも明るく光って見える。従って、このエッジライト光の演出によってトレイは装飾される。
【００１６】
また、本発明は、上記溝にコインの枚数を表す指標が示されていることを特徴とする。
【００１７】
本構成によれば、溝に並べられたコインの枚数は、指標によってさらに容易に把握される。
【００１８】
【発明の実施の形態】
次に、本発明によるコイン遊技機を上述したスロットマシンに適用した第１の実施形態ついて説明する。
【００１９】
図１（ａ）は本実施形態によるスロットマシン２１の下半部の斜視図である。
【００２０】
本実施形態によるスロットマシン２１においても、コインを遊技媒体として遊技が行われ、入賞時にはその入賞態様に応じた枚数のコインが、化粧パネル５の下方の払出口１０から受け皿２２に払い出される。本実施形態によるスロットマシン２１は受け皿２２の底面にコインを整列させる溝２２ａが形成されていることを特徴としており、他の構成は図５に示すスロットマシン１と同様である。
【００２１】
同図（ｂ），（ｄ）はこの受け皿２２の平面図であり、これら図の上側はスロットマシン２１の機器本体側、図の下側は遊技者側である。また、同図（ｃ），（ｅ）は受け皿２２の横断面図であり、これら図の右側は機器本体側、図の左側は遊技者側である。同図（ｂ），（ｃ）に示すように、受け皿２２の底面には３列の溝２２ａが形成されており、これら各溝２２ａにはそれぞれ一定枚数のコインが整列させられる。
【００２２】
同図（ｄ）および同図（ｅ）は真ん中の溝２２ａにコイン２３が整列された状態を示しており、コイン２３は受け皿２２の底面に垂直な縦方向に詰められている。各溝２２ａの深さは、受け皿２２からコインが取り出し難くならないように、それほど深くなってはいない。
【００２３】
このように受け皿２２に溝２２ａが設けられることにより、払出口１０から払い出されたコイン２３はこの溝２２ａに整然と整列されるようになる。従って、全てのコイン２３が視認され、コイン２３の枚数は数え易くなる。この際、１列の溝２２ａに縦詰めされるコイン枚数を予め把握しておけば、所持コイン枚数はさらに把握し易くなる。よって本実施形態によれば、遊技者はその時に所持しているコインの枚数を容易に把握出来るため、コインを景品交換する適切な時期を見逃さなくなる。
【００２４】
また、コイン２３が溝２２ａに整然と整列されるため、受け皿２２に貯留されたコイン２３はドル箱等に取り出し易くなる。このため、遊技者は投入口７に新たなコインを円滑に投入でき、遊技を円滑に行えるようになる。
【００２５】
次に、本発明によるコイン貯留装置を前述したスロットマシンに適用した第２の実施形態について説明する。
【００２６】
図２（ａ）は本実施形態によるスロットマシンの受け皿部分の構成を示す斜視図であり、本実施形態によるスロットマシンもこの受け皿部分以外の構成は図５に示すスロットマシン１と同様である。
【００２７】
本実施形態では、受け皿１１の平坦な底面に、この受け皿１１に受け入れる大きさを有する計数トレイ３１が着脱自在に嵌め込まれて受け皿部分が構成されている。このトレイ３１は蛍光色素を含む透明なアクリル樹脂から形成されており、払出口１０から払い出されるコインを受ける上面側の露出面部分には、央部が窪んだコイン受け部３１ａが形成されている。そして、このコイン受け部３１ａの両側には、受け皿１１の長手方向に沿って溝３１ｂが形成されている。
【００２８】
本実施形態では、払出口１０から払い出されたコインは一旦コイン受け部３１ａに落下し、貯留される。この際、コイン受け部３１ａは央部が窪んでいるため、払い出されたコインはこの央部に集められる。これらコインは遊技者によって各溝３１ｂに導かれ、各溝３１ｂに整列させられる。
【００２９】
本実施形態によるこのコイン受け部３１ａが無い上述した第１の実施形態では、払い出されたコインは各溝２２ａにバラバラに入ってしまい、整列し直す必要がある。しかし、本実施形態によれば、払い出されたコインは、コイン受け部３１ａに一旦貯められた後各溝３１ｂに導かれるため、容易に各溝３１ｂに順番に整列させることが出来る。このため、所持コインの枚数はさらに把握し易くなる。
【００３０】
また、同図（ｂ）に示すように、溝３１ｂにコインの枚数を表す指標３２，３３を示すと、溝３１ｂに詰められているコインの枚数はさらに把握しやすくなる。指標３２，３３は図示するように双方を示すと分かり易いが、いずれか一方の指標３２または３３だけを示すようにしてもよい。
【００３１】
また、各溝３１ｂは中央よりの端部が開放しているため、各溝３１ｂに詰められたコインは、この開放端部側に移動させることにより、受け皿１１から容易に取り出すことが出来る。このため、遊技をさらに円滑に進めることが可能となる。
【００３２】
また、トレイ３１は蛍光色素を含む透明アクリル樹脂から形成されているため、化粧パネル５の背後の蛍光灯から出射した光がコイン払出口１０から漏れ、受け皿１１に取り付けられたトレイ３１の部品内部に入り込むと、入射光はトレイ３１の部品内部で反射を繰り返す。この光が表面積の小さい溝３１ｂのエッジ部分３１ｃや指標３２，３３の彫込エッジ部分から部品外部へ出射する際、エッジライト効果により、これら各エッジ部分は、トレイ３１の内部の蛍光色素の存在も相まって他の部分よりも明るく光って見える。
【００３３】
従って、このエッジライト光の演出によってトレイ３１は装飾される。このため、スロットマシンが華やぎ、遊技者は楽しく遊技が行える。
【００３４】
また、本実施形態ではトレイ３１の各溝３１ｂを受け皿１１の長手方向に沿って設けた場合について説明したが、同図（ｃ）に示すように、受け皿１１の奥行き方向に沿ってトレイ３１の各溝３１ｄを設けるようにしてもよい。この構成によっても本実施形態と同様な効果が奏される。
【００３５】
次に、本発明を前述したスロットマシンに適用した第３の実施形態について説明する。
【００３６】
図３（ａ）は本実施形態によるスロットマシンの受け皿部分の構成を示す平面図であり、本実施形態によるスロットマシンもこの受け皿部分以外の構成は図５に示すスロットマシン１と同様である。
【００３７】
本実施形態では、受け皿４１に、コインの払出方向に平行な方向つまり受け皿４１の奥行き方向に溝４１ａが形成されている。図４（ａ）は図３（ａ）をIV−IV線で破断した図であり、同図において図３と同一部分には同一符号を付してある。各溝４１ａの深さは前述した第１の実施形態と同様にあまり深くはなく、コインが取り出し易い深さに設定されている。同図には受け皿４１の奥行き方向が矢示されている。
【００３８】
また、コインが払い出されて落下する部分にコイン方向変換部４１ｂが形成されている。このコイン方向変換部４１ｂは、デルタ状に盛り上がって形成されており、図３（ｂ）に示すように、払出口１０から払い出されるコイン４２の方向を、受け皿４１の底面に平行な横方向から受け皿４１の底面に垂直な縦方向に変換する傾斜面４１ｃを有している。また、払出口１０に対向する受け皿４１の側壁内面４１ｄ（図４（ａ）参照）はこの傾斜面４１ｃに連続している。
【００３９】
このような構成において、コイン４２は受け皿４１の底面に平行な横方向状態で払出口１０から払い出され、方向変換部４１ｂの先端部４１ｅに衝突する。先端部４１ｅに衝突したコイン４２は、その時の落下態様により、右側または左側のいずれかの傾斜面４１ｃに案内されて横方向から縦方向に方向転換される。方向転換したコイン４２は、傾斜面４１ｃに連続する側壁内面４１ｄにさらに案内され、側壁内面４１ｄに沿って立った状態で停止する。その後、コイン４２は遊技者によって受け皿４１の奥行き方向に移動させられ、溝４１ａに整列させられる。
【００４０】
この際、各溝４１ａの端部に、図４（ｂ）に示す球面状彫り込み４１ｆを形成することにより、側壁内面４１ｄに立つコインの下端部はこの球面状彫り込み４１ｆに案内され、矢示方向に沿ってスムーズに各溝４１ａに移動する。
【００４１】
また、同図（ｃ）に示すように、各溝４１ａ間の隔壁４１ｇの高さを高くすることにより、側壁内面４１ｄに立つコインはその側部がこの隔壁４１ｇに案内されてスムーズに各溝４１ａに移動する。
【００４２】
なお、同図（ｂ），（ｃ）において同図（ａ）と同一部分には同一符号を付してその説明は省略する。
【００４３】
このような本実施形態によれば、払出口１０から払い出されるコイン４２は受け皿４１の各溝４１ａに容易に整列させることが出来、所持コイン枚数はさらに容易に把握されるようになる。
【００４４】
なお、前述した第１の実施形態およびこの第３の実施形態では、コインを整列させる溝２２ａ，４１ａを受け皿２２，４１に一体成形した場合について説明したが、前述した第２の実施形態のように計数トレイにこれら各溝２２ａ，４１ａを形成し、受け皿の平坦な底面にこの計数トレイを嵌め込むように構成してもよい。また、第３の実施形態におけるコイン方向変換部４１ｂ等もこの計数トレイに形成するようにしてもよい。
【００４５】
この際、計数トレイを蛍光色素を含む透明アクリル樹脂から形成することにより、前述したように計数トレイがエッジライト光で演出され、スロットマシンは華やぐ。
【００４６】
また、前述した第２の実施形態では計数トレイ３１にコイン受け部３１ａや溝３１ｂ等を形成したが、第１の実施形態および第３の実施形態のように、受け皿本体にこれら受け部３１ａや溝３１ｂ等を一体成形するように構成してもよい。
【００４７】
また、第２の実施形態で溝３１ｂにコイン枚数を表す指標３２，３３を設けた場合について説明したが、このような指標３２，３３を第１の実施形態，第３の実施形態における各溝２２ａ，４１ａに設けるようにしてもよい。
【００４８】
また、上述した各実施形態ではコイン払出口１０が受け皿のほぼ中央に位置する場合について説明したが、このコイン払出口１０は受け皿のいずれかの端部に寄って位置していても構わない。この場合、第２の実施形態におけるコイン受け部３１ａは受け皿１１の端部に構成し、溝３１ｂ，３１ｄはこの端部の中央側に設けることになる。また、第３の実施形態におけるコイン方向変換部４１ｂは、いずれか片方の傾斜面４１ｃおよび側壁内面４１ｄだけを持つ構造となり、払出口１０から払い出されるコインは常にこのいずれか一方の傾斜面４１ｃおよび側壁内面４１ｄに案内されることになる。
【００４９】
また、上記各実施形態では本発明をスロットマシンに適用した場合について説明したが、コインを遊技媒体とするその他のアミューズメント機器に本発明を適用してもよい。
【００５０】
このように各実施形態を変形して構成した各場合においても、上記実施形態と同様な作用が奏され、同様な効果が得られる。
【００５１】
【発明の効果】
以上説明したように本発明によって受け皿またはトレイに溝が設けられることにより、払出口から払い出されたコインはこの溝に整然と整列されるようになる。従って、遊技者は所持コイン枚数を容易に把握でき、景品交換時期を見逃さなくなる。また、受け皿またはトレイに貯留されたコインは取り出し易くなり、遊技を円滑に行える。
【００５２】
また、溝を有するトレイを蛍光色素を含む透明樹脂から形成することにより、トレイがエッジライト光で装飾されて華やぎ、楽しく遊技を行える。
【図面の簡単な説明】
【図１】本発明の第１の実施形態によるコイン遊技機の受け皿部分の構成を示す図である。
【図２】本発明の第２の実施形態によるコイン貯留装置の受け皿部分の構成を示す図である。
【図３】本発明の第３の実施形態によるコイン遊技機の受け皿部分の構成を示す図である。
【図４】図３に示す受け皿の溝を示す図である。
【図５】従来のスロットマシンの斜視図である。
【符号の説明】
１０…コイン払出口
１１，２２，４１…コイン受け皿
２２ａ，３１ｂ，４１ａ…溝
２３，４２…コイン
３１ａ…コイン受け部
３１ｃ…エッジ部分
３２，３３…指標
４１ｂ…コイン方向変換部
４１ｃ…傾斜面
４１ｄ…側壁内面
【図１】
0003953602.tif 000002
【図２】
0003953602.tif 000003
【図３】
0003953602.tif 000004
【図４】
0003953602.tif 000005
【図５】
0003953602.tif 000006